(57)【特許請求の範囲】
【請求項１】
表示データを出力する表示信号発生源、および、該表示データを受け取って所定の画像を表示する液晶ディスプレイを具備する液晶表示装置であって、
前記表示データによる前記液晶ディスプレイへの表示がスクロール，カーソル移動，または，動画の高速応答が要求される場合、前記表示信号発生源からの表示データの表示階調数を削減し、液晶に印加される電圧の差が大きくなるように該表示データを変換して該液晶ディスプレイへ供給する表示信号切り替え制御手段を具備することを特徴とする液晶表示装置。
【請求項２】
前記表示信号切り替え制御手段は、前記液晶ディスプレイに高速応答が要求される場合に出力される高速応答認識信号を受け取って前記表示データを変換するようになっていることを特徴とする請求項１の液晶表示装置。
【請求項３】
前記液晶ディスプレイはＳＴＮ型液晶表示装置であることを特徴とする請求項１の液晶表示装置。
【請求項４】
前記液晶ディスプレイは複屈折式液晶表示装置であることを特徴とする請求項１の液晶表示装置。
【発明の詳細な説明】
【０００１】
【発明の属する技術分野】
本発明は液晶表示装置に関し、特に、応答速度の向上が必要とされる液晶表示装置に関する。
近年、薄型ディスプレイはノート型のパーソナルコンピュータ（パソコン）やワードプロセッサ（ワープロ）を始めとして各種の装置に使用されるようになって来ている。そして、液晶表示装置もマルチメディア対応の要求に伴って、応答速度の高速化が要求されている。特に、ＳＴＮ型液晶表示装置や複屈折式液晶表示装置は、応答速度の高速化が強く要望されている。
【０００２】
【従来の技術】
従来、液晶表示装置においては高速応答を実現するために、液晶の粘性を低くし、セルギャップを小さくし、また、ツイスト角を大きくしている。しかしながら、液晶表示装置は、表示品質、安定性および製造方法等の制約があるため、応答速度が十分とはいえないのが現実である。
【０００３】
すなわち、液晶表示装置には、原理的な限界があるため、十分な応答速度を得ることができない。
【０００４】
【発明が解決しようとする課題】
上述したように、従来、液晶表示装置は応答速度に問題があるが、特に、ＳＴＮ（Ｓｕｐｅｒ−Ｔｗｉｓｔｅｄ  Ｎｅｍａｔｉｃ）  型液晶表示装置や複屈折式液晶表示装置においては、応答速度が遅いために使用する用途が限られている。ここで、ＳＴＮ型液晶表示装置は、単純マトリクス駆動による低価格の大容量ディスプレイとして使用されており、また、複屈折式液晶表示装置は、単純な構成で比較的安定に多色カラー表示を行えることから、測定器等のディスプレイとして使用されている。
【０００５】
これら応答速度の遅い表示装置を用いてスクロールやカーソル移動を行う場合には、表示が消える現象が生じる問題があった。
本発明は、上述した従来の液晶表示装置が有する課題に鑑み、応答速度の向上が必要とされる液晶表示装置に関し、スクロールやカーソル移動、或いは、動画を表示する場合に高速応答を行わせて応答速度による表示不良を容易に改善することを目的とする。なお、本発明の適用は、上述したＳＴＮ型液晶表示装置や複屈折式液晶表示装置に限定されるものではなく、例えば、ＴＦＴアクティブマトリクス型液晶表示装置に対しても適用することができ、その応答速度を一層向上させることができる。
【０００６】
【課題を解決するための手段】
本発明によれば、表示データを出力する表示信号発生源、および、該表示データを受け取って所定の画像を表示する液晶ディスプレイを具備する液晶表示装置であって、前記表示データによる前記液晶ディスプレイへの表示がスクロール，カーソル移動，または，動画の高速応答が要求される場合、前記表示信号発生源からの表示データの表示階調数を削減し、液晶に印加される電圧の差が大きくなるように該表示データを変換して該液晶ディスプレイへ供給する表示信号切り替え制御手段を具備することを特徴とする液晶表示装置が提供される。
【０００７】
【発明の実施の形態】
本発明の液晶表示装置によれば、表示データによる液晶ディスプレイへの表示がスクロール，カーソル移動，または，動画の高速応答が要求される場合、表示信号切り替え制御手段により表示信号発生源からの表示データの表示階調数を削減し、液晶に印加される電圧の差が大きくなるように表示データを変換して液晶ディスプレイへ供給するようになっている。
【０００８】
これにより、スクロールやカーソル移動、或いは、動画を表示する場合に高速応答を行わせることができ、応答速度による表示不良を容易に改善することが可能となる。
【０００９】
【実施例】
以下、図面を参照して本発明に係る液晶表示装置の実施例を説明する。
図１は本発明に係る液晶表示装置の原理構成を示すブロック図である。図１において、参照符号１０はワープロやパソコン等の表示信号発生源、２０は液晶ディスプレイ、そして、３０は表示信号切り替え制御部を示している。
【００１０】
表示信号は信号発生源１０から出力され、信号切り替え制御部３０を経由して液晶ティスプレイ２０へ入力される。本実施例の液晶表示装置においては、高速応答が必要で無い場合は、信号切り替え制御部３０において表示信号を変換せずに、そのまま表示信号を液晶ディスプレイ２０へ供給する。一方、高速応答が必要な場合、例えば、スクロールやカーソル移動、或いは、動画を表示する場合には、信号発生源１０から供給された高速応答認識信号を信号切り替え制御部３０で受け、表示信号を予め決められたデータに変換して液晶ティスプレイ２０へ供給するようになっている。
【００１１】
すなわち、高速応答が必要な場合、信号切り替え制御部３０へ供給された表示信号は、例えば、表示階調数が減少されて、液晶ティスプレイ２０へ供給される。これにより、液晶ディスプレイ２０は高速表示を行うことができるようになる。具体的に、ＳＴＮ型液晶表示装置においては、高速応答が必要な場合、表示階調数を減少することで高速応答を可能とするようになっている。
【００１２】
また、高速応答が必要な場合、信号切り替え制御部３０へ供給された表示信号は、例えば、表示色数が減少されて、液晶ティスプレイ２０へ供給される。これにより、液晶ティスプレイ２０は高速表示を行うことができるようになる。具体的に、複屈折式液晶表示装置においては、高速応答が必要な場合、表示色数を減少することで高速応答を可能とするようになっている。
【００１３】
これは、液晶の応答速度がそのフレームでの印加電圧と次のフレームでの印加電圧との差によって異なり、この電圧差が大きい程、液晶の応答速度が速くなるためである。これにより、高速応答が必要な時は、表示階調数（または、表示色数）を減らすことで、高速表示が可能となるのである。
なお、本発明の液晶表示装置は、ＳＴＮ型液晶表示装置および複屈折式液晶表示装置に限られるものではなく、ＴＦＴアクティブマトリクス型液晶表示装置に対しても適用することができる。この場合には、応答速度を一層向上させることが可能となる。
【００１４】
このように、本実施例の液晶表示装置によれば、スクロールやカーソル移動、或いは、動画を表示する場合等の高速表示が必要な場合には、信号発生源１０から供給された高速応答認識信号により、表示信号が有するデータ量を削減して液晶ティスプレイ２０へ供給し、高速表示を行うようになっている。
図２は本発明に係る液晶表示装置の基本的な動作を説明するための図であり、通常時（高速応答が不要な場合：同図（ａ））および高速応答が必要な場合（同図（ｂ））における表示階調ビットと応答速度の関係を示すものである。また、図３は本発明に係る液晶表示装置の一実施例を示す図である。
【００１５】
まず、高速応答が不要な場合、図３に示す信号切り替え制御部３０へ供給される高速応答認識信号Ｓは高レベル“Ｈ”とされ、これにより、表示信号発生源１０から供給される表示階調ビット０〜６の全ての表示データがそのまま液晶ティスプレイ２０へ供給される。このとき、各表示階調ビットの応答速度は、図２（ａ）  に示されるように、例えば、表示階調２から３へは、２０ｍｓｅｃ．となっており、また、表示階調３から４へは、１６ｍｓｅｃ．となっている。
【００１６】
一方、スクロールやカーソル移動、或いは、動画を表示する場合等の高速表示が必要な場合、図３に示す信号切り替え制御部３０へ供給される高速応答認識信号Ｓは低レベル“Ｌ”とされており、これにより、表示信号発生源１０から供給される表示階調ビット０，１，３，５に間引かれた表示データが液晶ティスプレイ２０へ供給される。すなわち、表示階調ビット２，４，６の表示データは、それぞれ表示階調ビット１，３，５の表示データに変換される。このとき、各表示階調ビットの応答速度は、図２（ｂ）  に示されるように、例えば、表示階調１から３へは、１０ｍｓｅｃ．となっており、また、表示階調３から５へは、８ｍｓｅｃ．となっている。従って、図２（ａ）  と図２（ｂ）  との比較から明らかなように、表示階調ビットを減少させるように変換することによって、２０ｍｓｅｃ．や１６ｍｓｅｃ．の応答速度が必要な表示データを１０ｍｓｅｃ．や８ｍｓｅｃ．の高速応答とすることができる。
【００１７】
具体的に、図３において、表示階調ビット１および２に注目すると、高速応答が不要な場合には、高速応答認識信号Ｓは高レベル“Ｈ”とされているので、一方の入力に表示階調ビット２のデータ信号（表示データ）が供給されているＡＮＤゲート３４の他方の入力には、高レベル信号“Ｈ”が供給され、該ＡＮＤゲート３４の出力は、表示階調ビット２のデータ信号がそのまま出力される。このとき、ＡＮＤゲート３３の一方の入力にも表示階調ビット２のデータ信号が供給されているが、該ＡＮＤゲート３３の他方の入力にはインバータ３２を介して低レベル信号“Ｌ”が供給されているので、ＡＮＤゲート３３の出力は表示階調ビット２のデータ信号のレベルに係わらず低レベル“Ｌ”に保持される。従って、表示階調ビット１のデータ信号およびＡＮＤゲート３３の出力が供給されるＯＲゲート３１の出力は、表示階調ビット１のデータ信号がそのまま出力されることになる。すなわち、高速応答が不要な場合、高速応答認識信号Ｓを高レベル“Ｈ”とすることにより、表示信号発生源１０から供給される表示階調ビット０〜６の全ての表示データがそのまま液晶ティスプレイ２０へ供給される。
【００１８】
逆に、高速表示が必要な場合には、高速応答認識信号Ｓが低レベル“Ｌ”とされ、これにより、ＡＮＤゲート３４の出力は、表示階調ビット２のデータ信号のレベルに係わらず低レベル“Ｌ”に保持される。このとき、ＡＮＤゲート３３の出力は、表示階調ビット２のデータ信号と同様に変化し、該ＡＮＤゲート３３の出力がＯＲゲート３１を介して表示階調ビット１のデータ信号として出力される。すなわち、表示階調ビット１または２の一方のデータ信号のレベルが高レベル“Ｈ”ならば、ＯＲゲート３１の出力も高レベル“Ｈ”となり、高速表示が必要な場合には、信号切り替え制御部３０に入力された表示階調ビット１および２の表示データが表示階調ビット１の表示データだけに変換されて出力されることになる。
【００１９】
図４は本発明に係る液晶表示装置の変形例を概略的に示す図である。
図４に示されるように、本実施例では、表示信号切り替え制御部３０が液晶ディスプレイ２０に設けられており、さらに、高速応答認識信号Ｓに対応する高速応答設定信号（Ｓ）を該液晶ディスプレイスイッチ２０に設けたスイッチ４０により設定するようになっている。これにより、ユーザが必要に応じて、表示階調数または表示色数を優先させるか、或いは、応答速度を優先させるかの設定を行うことが可能となる。
【００２０】
すなわち、前述した図１〜図３に示す実施例では、高速応答が必要な場合には、表示信号発生源１０からの高速応答認識信号Ｓによって、信号切り替え制御部３０が表示信号を切り替えるようになっているが、信号切り替え制御部３０における表示信号の切り替え処理をスイッチ４０による高速応答設定信号（高速応答認識信号Ｓ）に応じて行うように構成してもよい。
【００２１】
図４に示す実施例では、例えば、複屈折式液晶表示装置において、表示色数を減少しても高速応答が必要な場合と、応答速度が遅くても表示色数を多くしたい場合とを、液晶ディスプレイ２０に設けたスイッチ４０によって設定するようになっている。具体的に、液晶ディスプレイ２０に設けたスイッチ４０によって、高速表示データ（例えば、スクロール等の表示パターン）を選択することができる。ここで、液晶ディスプレイ２０に設けたスイッチ４０によって、高速応答信号を入力するのか入力しないかを選択するように構成してもよい。なお、信号切り替え制御部３０の構成は図３と同様であり、その動作説明等は省略する。
【００２２】
また、前述したように、本発明の液晶表示装置は、ＳＴＮ型液晶表示装置および複屈折式液晶表示装置に限られるものではなく、ＴＦＴアクティブマトリクス型液晶表示装置に対しても適用することができる。
【００２３】
【発明の効果】
以上、詳述したように、本発明の液晶表示装置によれば、スクロールやカーソル移動、或いは、動画を表示する場合に高速応答を行わせることができ、応答速度による表示不良を容易に改善することができる。
【図面の簡単な説明】
【図１】本発明に係る液晶表示装置の原理構成を示すブロック図である。
【図２】本発明に係る液晶表示装置の基本的な動作を説明するための図である。
【図３】本発明に係る液晶表示装置の一実施例を示す図である。
【図４】本発明に係る液晶表示装置の変形例を概略的に示す図である。
【符号の説明】
１０…表示信号発生源
２０…液晶ディスプレイ
３０…表示信号切り替え制御手段
４０…スイッチ
Ｓ…高速応答認識信号（高速応答設定信号）
【図１】
0003620900.tif 000002
【図２】
0003620900.tif 000003
【図３】
0003620900.tif 000004
【図４】
0003620900.tif 000005